(57)【要約】【課題】本発明は、この発明は自動車のシートベルト引き出しガイド装置であり、健常者はもちろん、特に身長の低い、あるいは傷害等で手足に不自由をもった運転者でのシートベルトを安全に装着することのできるガイド装置に関するものである。【解決手段】２本の円柱状支柱を持つヘッドレストの支柱を貫通させて取り付ける基台と一端を基台と共にヘッドレストを貫通させるアームの他端にシートベルトを通過させるスルーガイド設け、スルーガイドがアームと台座の２箇所により一定範囲を可動することで座席の前後位置に関わらず座席肩口の所定位置にシートベルトをガイドする装置。【選択図】図４
2010162931.tif 000002
【特許請求の範囲】
【請求項１】
自動車のシートベルト引き出しガイド装置であって、ヘッドレストに設けた２本の支柱を貫通させる円穴と長穴をそれぞれ持つ上板と下板と、この両板の間に上記支柱を貫通させる長穴とアームの回転範囲を制御する突起を持つ中板を挟み込んで一体化した基台と、この基台の中板に対応し、かつ上板と下板の円穴部分に合致して上記支柱を貫通させる円穴と、この円穴を中心として上記中板に設けた回転範囲を制御する突起に対応した円弧状の切り込みを一端に持つ板状のアームと、このアームの他端に設けられた台座の回転範囲を制御する突起に対応する切り込みと、この切り込みに回転自在に取り付けられ、かつ下部に設けた突起を上記切り込みと対応させた台座と、この台座の上部両側に設けたガイド溝に移動可能に保持された短冊状のスルーガイドと、このスルーガイドの先端には既設のシートベルトを通過させる切り込みと、この切り込みに連通した長穴状のシートベルトガイド穴を設け、既設のシートベルトの固定金具より上方のシートベルトをシートベルトガイド穴に通過させ、このシートベルトの不使用時には常に座席肩口の所定の位置にシートベルトが保持され、シートベルトの装着時にはシートベルトの引き出し方向に合わせて、アームと台座がそれぞれ可動しながらシートベルトガイド穴の中をシートベルトが移動し、センターピラーから運転者の胸方向に一直線となるようシートベルトが装着できるシートベルト引き出しガイド装置。
【請求項２】
スルーガイドは、弾性のある合成樹脂板からなり、シートベルトの不使用時にはシートベルトの復元力により座席の肩口で背もたれに沿って湾曲した状態でシートベルトをガイドし、シートベルトの引き出し時には、板状の原型に戻りシートベルトの引き出し方向に合わせて上下いずれにも湾曲が可能な請求項１記載のシートベルト引き出ガイド装置
【請求項３】
スルーガイトの板幅はシートベルトの幅よりも広い７ｃｍ程度、長さは可動範囲を２０ｃｍ程度とした短冊状で、先端に設けたシートベルトガイド穴にシートベルトを通過させた後に、シートベルトを通過させる切り込みにさや状の安全保護カバーを取り付けた請求項１記載のシートベルト引き出しガイド装置。
【請求項４】
スルーガイドの長さ方向の側面と台座のガイド溝とでラチェット構造を設けた請求項１記載のシートベルト引き出しガイド装置。
【発明の詳細な説明】
【技術分野】
【０００１】
この発明は自動車のシートベルト引き出しガイド装置であり、特に身長の低い、あるいは傷害等で手足に不自由をもった運転者でのシートベルトを安全に装着することのできるガイド装置に関するものである。
【背景技術】
【０００２】
自動車においては、一般に運転者が事故等により自動車から飛び出すことを防止するために通常運転席外側後方に位置する柱（以下「センターピラー」という。）上部とセンターピラー下部の間にプリテンションのかかったシートベルトが張られており、シートベルトには取り付けられた固定金具を、座席内側にあるシートベルト固定装置に取り付けて運転者を固定するいわゆる、３点式シートベルトが設けられている。
自動車では、ハンドルやペダル等運転装置の位置が一定であるため、自動車の座席は運転者の体格、特に手と足の長さに合わせて座席の位置を前後して運転装置との距離を調整している。
中でも、背の低い人が運転する場合には、手足を運転装置に近づけるために座席を前方向に調整することが必要である。
しかし、座席を前方向に移動させるとセンターピラーと座席の距離が離れるため、センターピラーに取り付けられたシートベルトを体格が小さいにも関わらず体格の大きな人よりも後方から引き出すことになる。
このため背の低い運転者がシートベルトを引き出す際には、シートベルトが首にかかるなどシートベルトの装着が不便なばかりか、正確にシートベルトを着用されないことによりシートベルトの性能が充分発揮されない虞がある。
【先行技術文献】
【特許文献】
【０００３】
【特許文献１】特開２０００−２８０８６１
【特許文献２】特開平６−７２２８５
【特許文献３】特開２００４−２４９８６６シートベルトに関連した公知の技術として座席自体にシートベルトが取り付けられたもの（特開２０００−２８０８６１）や、座席背もたれ内部にシートベルトガイド装置を組み込んだもの（特開平６−７２２８５）、及び車体のドア側ルーフサイドにレールを設けシートベルトをガイドするもの（特開２００４−２４９８６６）があるが、いずれの場合も座席や自動車自体に改良を加えたものであるため、既存に販売されている自動車に簡単に取り付けることが難しい。
【発明の概要】
【発明が解決しようとする課題】
【０００４】
この発明は、座席や自動車本体に何ら改良を加えることなく、多くの自動車に採用されている２本の円柱状の支柱を持つヘッドレストの支柱部分を利用して容易に取り付けることができ、かつ座席の前後移動に関わらず既存のシートベルト装置の性能を充分に発揮できるよう座席肩口の所定の位置にシートベルトをガイドするシートベルト引き出しガイド装置を提供するものである。
【課題を解決するための手段】
【０００５】
本発明は、多くの自動車に採用されている２本の円柱状支柱を持つヘッドレスト支柱に基台と基台の中間に挟みこまれたアームの一端を貫通させて容易に取り付けることの出来るシートベルト引き出しガイド装置であり、多様な支柱間隔のヘッドレスト支柱に対応するよう室内側のヘッドレスト支柱を貫通させる穴を長穴としている。
センターピラー側のヘッドレスト支柱を貫通させる円穴を中心として、基台の中間に挟み込みこんだアームの一端に設けた切り込みと基台中間に設けたアームの回転範囲を制御する突起によりアームの回転範囲を制御すると共に、このアームの他端に取り付ける台座下部でアームと台座の回転範囲を制御することで、台座上部に取り付けるスルーガイドの可動範囲を２箇所で制御している。
スルーガイドは台座上部に設けたガイド保持溝により台座にスライド可能に取り付けられる。
スルーガイド先端に、既設のシートベルトを保持するシートベルトガイド穴と、シートベルトガイド穴とシートベルトを通過させるための連通した切り込みを設けている。
スルーガイドに設けられたシートベルトガイド穴にシートベルトの固定金具より上方を通過させることにより、シートベルトはアームと台座の２箇所で可動範囲が制御され、シートベルトを使用しない時にはシートベルトのプリテンションにより常に座席肩口の所定の位置に留められ、シートベルトを着用する時には、座席肩口から引き出されるシートベルトの動きに合わせてスルーガイドが上下左右に動きながら、シートベルトガイド穴の中をシートベルトが自由に移動しスムーズにセンターピラーから運転者の胸方向へ一直線となり、シートベルトを正確に引き出すことが出来る。
また、降車時シートベルト固定金具を外した時にはシートベルトのプリテンションにより自動的に座席肩口の所定の位置にシートベルトガイド穴を通過したシートベルトが戻るシートベルト引き出しガイド装置である。
【発明の効果】
【０００６】
本発明は、特に身長の低い、あるいは傷害等で手足に不自由を持った運転者が座席の前後位置に関わらずシートベルトを容易に座席肩口から引き出して装着することが出来るようシートベルトをガイドする装置を、多くの自動車に採用されているヘッドレストの２本の円柱状支柱に簡単に取り付けるようにしたものであるため、自動車本体や座席の内部に改良を加えたシートベルトガイド装置よりも多くの人が使用することが出来る。
本発明は、スルーガイドに弾性のある合成樹脂を使用することにより、乗降時等シートベルトを装着していない時にはシートベルトのプリテンションによりセンターピラー側に引き込まれる力によって、スルーガイトが座席肩口の所定の位置で背もたれの形状に沿って湾曲して留まるため、シートベルト引き出しガイド装置が乗降を妨げることがない。
また、シートベルトを着用するためにシートベルトを引き出す時には、スルーガイドが板状に戻ると共にシートベルトの引き出し方向に合わせて上下に湾曲することでシートベルトがスルーガイドに設けたシートベルトガイド穴をスムーズに通過することが出来る。
本発明は、座席肩口にシートベルトをガイドするスルーガイドの長さを台座上部で調整できるので、多様な体格の運転者に合わせた位置調整が可能であり、自動車を運転するほとんどの者が利用出来る。
【図面の簡単な説明】
【０００７】
【図１】この発明のシートベルト引き出しガイド装置の分解斜視図である。
【図２】シートベルト引き出しガイド装置を組み立て、ヘッドレスト支柱に取り付け、その可動範囲を示したものである。
【図３】運転席を前方に移動してシートベルト引き出しガイド装置をヘッドレストに取り付けた状態を示したものである。（実施例１）
【図４】図４は、運転者モデル２６によりシートベルト着用時のシートベルト引き出しガイド装置の状態を示したものである。（実施例２）
【発明を実施するための形態】
【０００８】
以下、この発明の最良の実施形態を図面に基づいて説明する。
図１は、この発明のシートベルト引き出しガイド装置の分解斜視図である。
基台上板１ａにヘッドレスト支柱２１、２２を貫通させる円穴７ａと長穴８ａを設け、基台下板１ｃにも基台上板１ａと同様のヘッドレスト支柱２１、２２を貫通させる円穴７ｃと長穴８ｃを設け、基台上板１ａと基台下板１ｃの間にヘッドレスト支柱２２を通過させる長穴８ｂと他端にアーム回転範囲制御用突起９を設けた基台中板１ｂを挟み込み一体化した基台１に、アーム２の一端に設けたヘッドレスト支柱２１を貫通させる円穴７ｂを基台上板１ａの円穴７ａと基台下板１ｃの円穴７ｃの間に挟みこみ、基台中板１ｂのアーム回転範囲制御用突起９とアームの切り込み１０によりアーム２の回転範囲が制御されるようにヘッドレスト支柱２１を貫通させる。
この時、ヘッドレスト支柱２２を同時に基台１の長穴８に貫通させ、基台１とアーム２の一端がヘッドレスト支柱２１、２２に固定される。
アーム２の他端に台座３下部に設けたアーム２と台座３との回転範囲を制御する突起１２に対応する切り込み１１を設け、台座３下部に設けたアーム２と台座３の回転範囲を制御突起１２により、アーム２と台座３の回転範囲を制御するようアーム２の小穴１４と台座３の小穴１３によりフランジ止めし、台座３を取り付ける。
台座３上部の両側にガイド保持溝１５を設け、片側のガイド保持溝１５設けたバネ状の突起とスルーガイド４の片側面に設けた波形の切り込み１９によりラチェット構造となるようスルーガイド４の両側面をガイド保持溝１５に通過させ台座３上部でスルーガイド４の長さが調整可能に保持させる。
スルーガイド４の先端にシートベルト２４を保持する長穴状のシートベルトガイド穴１８と、このシートベルトガイド穴１８にシートベルト２４を通過させるためのシートベルトガイド穴１８に連通した切り込み１７を設けている。
スルーガイド４の後端には、ガイド保持溝１５からスルーガイド４が先端方向に抜け落ちないようにガイド保持溝１５より幅又は高さを大きくしたストッパー２０を設けている。
シートベルト２４をシートベルトガイド穴１８に保持させた後に、シ−トベルト２４がシートベルトガイド穴に連通した切り込み１７から誤って抜け落ちることを防止し、かつこの切り込み１７が運転者の衣服を誤って引っかからないよう保護するために、さや状の安全保護カバー５を取り付ける。
図２は、シートベルト引き出しガイド装置を組み立て、ヘッドレスト支柱に取り付け、その可動範囲を示したものである。
ヘッドレスト６の支柱２１は、円穴７により基台にアームの一端を挟み込んで貫通し、支柱２２は、長穴８により基台を貫通しヘッドレスト支柱に固定され、ヘッドレスト支柱２１が貫通した円穴７を中心として回転範囲が制御されるアーム２と、このアーム２の他端に回転範囲を制御するよう取付られた台座３の２カ所により、スルーガイド４の可動範囲が制御されＡの位置からＢの位置の範囲で可動する。
Ａの位置より後方に可動しないことでプリテンションにより引き込まれるシートベルト２４をシートベルトガイド穴１８に保持して座席肩口に留め、シートベルト２４を引き出す時には、Ａの位置からＢの位置の間で引き出し方向に合わせて自由にスルーガイド４が可動しながら、シートベルトガイド穴１８の中をシートベルト２４が自由に移動するが、Ｂの位置より運転者側に可動せずアーム２やスルーガイド４が運転者の顔や首などに接触しないようにしている。
【実施例１】
【０００９】
図３は、運転席を前方に移動してシートベルト引き出しガイド装置をヘッドレストに取り付けた状態を示したものである。
アーム２と台座３の２箇所で可動範囲が制御されたスルーガイド４は、シートベルトガイド穴１８にシートベルト固定金具２５より上方のシートベルト２４を保持したまま、プリテンションによりセンターピラー２３側に引き込まれることなく、またスルーガイド４の素材の柔軟性により座席２７の肩口に沿った状態で所定の位置に留められシートベルトがガイドされている。
【実施例２】
【００１０】
図４は、運転者モデル２６によりシートベルト着用時のシートベルト引き出しガイド装置の状態を示したものである。
スルーガイド４の素材の柔軟性により板状に戻ったスルーガイド４が、アーム２と台座３の２箇所により可動しならが、シートベルトガイド穴１８の中を自由に移動してシートベルト２４が引き出され、シートベルト２４はセンターピラー２３上部から運転者の胸方向に一直線となり正確に装着される。
シートベルト装着後、シートベルト２４はセンターピラー２３から運転者の胸方向に一直線に張られた状態となるので、運転者の肩上でシートベルトガイド穴１８の中を通過しているが、シートベルト引き出しガイド装置には何の力も加わらず、通常の着用状態と同じになるので既設のシートベルト装置に影響を与えていない。
【産業上の利用可能性】
【００１１】
このシートベルト引き出しガイド装置は、円柱状の２本の支柱を持ったヘッドレストを装着した座席であれば、自動車以外にも取り付けることが出来る。
また、反転すれば助手席や左側に運転装置のある自動車にも取り付けることが可能である。
このシートベルト引き出しガイド装置を取り付けたまま座席を前後させても、またリクライニングさせても座席や背もたれの移動に合わせてシートベルトガイド穴１８の中をシートベルト２４が自由に移動するため座席をどのような使用状態にしても取り外す必要はない。
このシートベルト引き出しガイド装置は、基台１、アーム２及び台座３、スルーガイド４及び安全保護カバー４の３つのパーツに分解してコンパクトに持ち運ぶことが可能である。
【符号の説明】
【００１２】
１ａ  基台上板
１ｂ  基台中板
１ｃ  基台下板
２    アーム
３    台座
４    スルーガイド
５    安全保護カバー
６    ２本の円柱状の支柱を持つヘッドレスト
７ａ  基台上板：円穴
７ｂ  アーム：円穴
７ｃ  基台下板：円穴
８ａ  基台上板：長穴
８ｂ  基台中板：長穴
８ｃ  基台下板：用長穴
９    基台中板：アーム回転範囲制御用突起
１０  アーム：基台側回転範囲制御用切り込み
１１  アーム：台座側回転範囲制御用切り込み
１２  台座：下部回転範囲制御用突起
１３  台座：アーム接続用小穴
１４  アーム：台座接続用小穴
１５  スルーガイド用台座：上部ガイド保持溝
１６  スルーガイド用台座：上部ガイド保持溝内ラチェット用突起
１７  スルーガイド：シートベルト通過用切り込み
１８  スルーガイド：シートベルトガイド穴
１９  スルーガイド：横部ラチェット用波状切り込み
２０  スルーガイド：抜け落ち防止ストパー
２１  ヘッドレスト：支柱（センターピラー側）
２２  ヘッドレスト：支柱（室内側）
２３  センターピラー
２４  シートベルト
２５  シートベルト固定金具
２６  運転者モデル
２７  座席
【図１】
2010162931.tif 000003
【図２】
2010162931.tif 000004
【図３】
2010162931.tif 000005
【図４】
2010162931.tif 000006